(57)【特許請求の範囲】
【請求項１】
上面を構成する上枠と側面および底面を構成するボディーとを有する本体と、前記本体内に着脱自在に収納される鍋と、前記本体内に設けられた前記鍋を加熱する加熱手段と、前
記本体の上面開口部を覆い開閉自在に軸支した蓋と、前記本体後方の上枠下面に設けられたコードリール載置部と、コードリールと、前記コードリールの上部に設けられるとともに前記コードリール載置部に取り付けられるスペーサと、を備え、前記コードリールの外郭の少なくとも一部は、前記スペーサが前記コードリール載置部に当接する部分と同一形状であり、これにより、炊飯容量により高さの異なる複数のモデルを製造する場合において、前記スペーサを取り付けるか否かにより、高さが異なりコードリール取り付け位置が異なる複数のモデルに対応できるように構成されている炊飯器。
【請求項２】
前記スペーサは、前記コードリールを支持する嵌合部を設けた請求項１に記載の炊飯器。
【請求項３】
前記スペーサは、前記コードリールを挟持する爪を有する請求項１または２に記載の炊飯器。
【請求項４】
前記スペーサは、前記コードリール載置部に設けたリブと当接する固定リブを設けた請求項１〜３のいずれか１項に記載の炊飯器。
【請求項５】
前記スペーサの上部に切欠きを設けた請求項１〜４のいずれか１項に記載の炊飯器。
【発明の詳細な説明】
【技術分野】
【０００１】
本発明は、一般家庭、あるいは業務用に使用する炊飯器に関するものである。
【背景技術】
【０００２】
従来、この種の炊飯器は、例えば、図７，８に示されるような構成であった。図７において、胴部１０２ａ及び底部１０２ｂを一体に形成した外ケース１０２と内ケース（保護枠ともいう）１０３と肩部１０４とからなる炊飯器本体１０１と、前記内ケース１０３内に出し入れ自在に収納されるもので磁性体金属材料からなる内鍋１０５と、該内鍋１０５を加熱する加熱手段１０１０と、炊飯器本体１０１の底壁を形成する底部材１０６と、炊飯器本体の内部空間１０７（つまり外ケース１０１と内ケース１０３と肩部１０４と底部材１０６とで囲まれた空間部）に収納された電源接続用のコードリール１５０と、前記炊飯器本体１０１の上部開口１０１ａを被蓋する蓋１２０などを備えている。炊飯器本体１０１の後部に蓋１２０を開閉自在に枢着したヒンジ部１２４の下方位置における炊飯器本体１０１の内部空間７には、電源コードの回転軸線が水平位置になるように、縦向きに配置したコードリール１５０と、このコードリール１５０を結合した取付部材１６０とを備え、前記取付部材１６０の一方側はコードリール１５０に取り付けるとともに、他方側は炊飯器本体１０１の肩部１０４に取り付け、該コードリール１５０を取付部材１６０を介して炊飯器本体１０１の肩部１０４にネジ止めにて吊持させるようにしている。
【０００３】
図８において、取付部材１６０の側板１６２は、上部が幅広で下部を幅狭とし、かつ外郭が略Ｙ字形とした脚部１６７と、この脚部１６７の片側上部に連続形成した羽根部１６８とを有している。そして、前記脚部１６７の下部には、コードリール１５０の取付高さを調節するための複数の取付穴１７０、１７１、１７２・・・が上下方向に穿設してあり、これらの取付穴１７０、１７１、１７２・・・を高さ調節部１６９としてある。
【０００４】
そして、取付部材１６０の脚部１６７に形成した高さ１６９たる取付穴１７０〜１７２のいずれかをコードリール１５０の雌ネジ部１５５に螺合した場合に、前記高さ調節部１７４たる取付穴１７５〜１７７のいずれかに対応するように設けてある。つまり、１７０から１７１までの距離と１７５から１７６までの距離、及び１７１から１７２までの距離と１７６から１７７までの距離とは同一としてあり、肩部１０４に取り付けた取付部材１６０に対して取付穴１７０，１７１、１７２によりコードリール１５０の高さを調節した場合に、その調節ストロークに対応して、取付穴１７５、１７６、１７７のいずれかにネジ１７８で止め、コードリール１５０は炊飯器本体１０１に取り付けられる。
【先行技術文献】
【特許文献】
【０００５】
【特許文献１】特開２００４−２９８５０５号公報
【発明の概要】
【発明が解決しようとする課題】
【０００６】
しかしながら、前記従来の構成では、炊飯容量により高さの異なる複数のモデル（例えば、１．８Ｌと１．０Ｌ）を製造する場合には、全モデルにコードリ−ル取付部材を取り付け、複数の異なるコ−ドリ−ル取り付け位置を、モデルごとに取付部材の高さ調節部の取付穴を変えて、ネジ止めしなくてはならなくなり、ネジ止め作業工程増加及び複数の取付穴に対する取り付けミスが発生しやすくなるため、組立作業効率を低下させる、また、ネジ止めにより固定しているため、ネジ締め付けトルクのばらつきが発生した際、ネジ締め付け部の樹脂割れ及び締め付けによる残留応力が発生し、長期使用により、樹脂材料が
劣化した際、高圧充電部品であるコ−ドリ−ルの保持に対する信頼度が低下するという課題を有していた。
【０００７】
本発明は、前記従来の課題を解決するもので、炊飯容量が異なる複数のモデルにおいて、炊飯容量の大小で、コ−ドリ−ルの取り付け位置が変わるが、コードリールの取り付け構造を改善することにより、取り付け位置が変わっても、組立作業効率を低下させることなく、長期使用にも耐えることができ、また、コ−ドリ−ル載置部側の部品を変えることなく、共用化することができ、従来と同炊飯容量で、設置面積をコンパクトにすることができる炊飯器を提供することを目的とする。
【課題を解決するための手段】
【０００８】
前記従来の課題を解決するために、本発明の炊飯器は、上面を構成する上枠と側面および底面を構成するボディーとを有する本体と、前記本体内に着脱自在に収納される鍋と、前記本体内に設けられた前記鍋を加熱する加熱手段と、前記本体の上面開口部を覆い開閉自在に軸支した蓋と、前記本体後方の上枠下面に設けられたコードリール載置部と、コードリールと、前記コードリールの上部に設けられるとともに前記コードリール載置部に取り付けられるスペーサと、を備え、前記コードリールの外郭の少なくとも一部は、前記スペーサがコードリール載置部に当接する部分と同一形状であり、これにより、炊飯容量により高さの異なる複数のモデルを製造する場合において、前記スペーサを取り付けるか否かにより、高さが異なりコードリール取り付け位置が異なる複数のモデルに対応できるように構成されているものである。
【０００９】
これにより、炊飯容量が異なることにより、本体の高さの異なる複数のモデルを製造する場合には、高さの低いモデルには、コードリ−ルを直接本体に設置し、高さの高いモデルには、コ−ドリ−ル載置部とコードリ−ルの間にスペ−サ−を設けることができる。
【発明の効果】
【００１０】
本発明の炊飯器は、炊飯容量により高さの異なる複数のモデルを製造する場合において、スペ−サを取り付けるか否かで、高さの異なりコードリ−ル取り付け位置が異なる複数のモデルに対応することができる。
【図面の簡単な説明】
【００１１】
【図１】本発明の実施の形態１における炊飯器の断面図
【図２】本発明の実施の形態１における炊飯器の要部下面図
【図３】本発明の実施の形態１における炊飯器の要部下面図
【図４】本発明の実施の形態１における炊飯器の要部組立図
【図５】本発明の実施の形態１における炊飯器の要部詳細図
【図６】本発明の実施の形態１における炊飯器の要部立体図
【図７】従来例の炊飯器本体の断面図
【図８】従来例の炊飯器本体の要部詳細図
【発明を実施するための形態】
【００１２】
第１の発明は、上面を構成する上枠と側面および底面を構成するボディーとを有する本体と、前記本体内に着脱自在に収納される鍋と、前記本体内に設けられた前記鍋を加熱する加熱手段と、前記本体の上面開口部を覆い開閉自在に軸支した蓋と、前記本体後方の上枠下面に設けられたコードリール載置部と、コードリールと、前記コードリールの上部に設けられるとともに前記コードリール載置部に取り付けられるスペーサと、を備え、前記コードリールの外郭の少なくとも一部は、前記スペーサが前記コードリール載置部に当接する部分と同一形状であり、これにより、炊飯容量により高さの異なる複数のモデルを製造する場合において、前記スペーサを取り付けるか否かにより、高さが異なりコードリール取り付け位置が異なる複数のモデルに対応できるように構成されていることにより、本体の高さの低いモデルには、コードリールを直接本体に設置し、本体の高さの高いモデルには、コードリールをスペーサに取り付け、そのスペーサを本体に設置することにより、本体のコードリール載置部の形状をモデルにより変えることなく、共用化することができる。
【００１３】
第２の発明は、特に、第１の発明の前記スペーサに前記コードリールを支持する嵌合部を設けることにより、コードリールを本体載置部に設置する組立作業の際にコードリールの嵌合穴部にスペーサの凸部を係合させて取り付けるので、確実に取り付けることができ、さらにネジ止めなどの作業もなく、組立作業性の向上につながる。
【００１４】
第３の発明は、特に、第１または２の発明の前記スペーサは、前記コードリールを挟持する爪を有したものである。
【００１５】
第４の発明は、特に、第１〜３の発明のいずれか１つの発明の前記スペーサは、前記コードリール載置部に設けたリブと当接する固定リブを設けたことにより、固定リブを本体のコードリール載置部のリブに当てて、がたつきなく固定することができる。
【００１６】
第５の発明は、特に、第１〜４の発明のいずれか１つの発明の前記スペーサの上部に切欠きを設けることにより、コードリール周辺の熱を上方へ逃がすことができ、コードリールの温度上昇及び炊飯器内部の温度上昇を抑える効果がある。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における炊飯器の断面図を示すものである。
【００１９】
図１において、炊飯器本体３０は上面を構成する上枠３３と側面および底面を構成するボディ３４でその外郭が構成されており、上枠３３は円筒状の穴部３３ａ有し、穴部３３ａより連なる筒状で保護枠胴３５と皿状の保護枠３６により有底筒状の内鍋収納部３０ａを構成し、着脱自在に内鍋３２を収納する。保護枠３６の底部には底誘導コイル３７を配置し、底誘導コイル３７の外側には、内鍋３２底部の底誘導加熱コイル３７と側面部の底誘導コイル３７の間を磁気結合する目的で磁性材料にて構成された底フェライト３８を複数配置している。底誘導コイル３７が内鍋加熱手段であり、誘導加熱方式は、各誘導コイルに通電した高周波電流から発生する高周波磁界が被加熱金属を通過する際に誘導加熱を引き起こし発熱することにより、内鍋３２を誘導加熱し炊飯・保温を行う。底誘導コイル３７の下方には反射板５６を設けており、底誘導コイル３７からの高周波磁界が炊飯器本体３０の外部に漏れ出すのを防止し、周囲の機器に影響を及ぼさないような工夫がなされている。
【００２０】
保護枠３６の下方には、内鍋３２と当接し、内鍋３２の温度検知をする内鍋温度検知手段である底センサー３９を配置している。内鍋３２は上枠３３に配設している上枠キャップ５９により支持され、底誘導加熱コイル３７との距離を保っている。内鍋３２の側面部には、内鍋側面部の加熱手段である側面誘導加熱コイル５１を配置している。
【００２１】
蓋４５は炊飯器本体３０上部を形成する開閉自在で、蓋４５が閉じている状態では、フックレバー４８により炊飯器本体３０に支持されている。蓋４５の下部には、蓋加熱板５２を配置し、内部には蓋加熱手段である蓋誘導加熱コイル５３と蓋温度検知手段である蓋センサー５４を配設している。蓋加熱板５２には、内鍋フランジ部３２ａと当接する内鍋パッキン５５を配設し、内鍋３２内の調理物が加熱されることにより発生する蒸気等が漏れないようにシールをしている。なお、底誘導加熱コイル３７、側面誘導加熱コイル５１、蓋誘導加熱コイル５３はヒーターであっても良い。
【００２２】
上枠３３には、炊飯器を操作するための入力装置を備えた操作制御基板５７が配設されている。
【００２３】
各加熱手段を制御する制御装置を備えた加熱制御基板４０は、加熱制御基板用基板ベース４１に支持され、上枠３３の下方に垂直に保護枠３６に固定している。前述の各基板は
フェノール積層板、加熱制御基板用基板ベース４１は難燃性樹脂でできている。加熱制御基板４０に配設された加熱電力送出部４２はアルミやアルミダイキャスト等でできたヒートシンク４３を有し、ヒートシンク４３に外気を送風するファンモータ４４が取り付けてある。
【００２４】
上枠３３の本体後方の上面にはヒンジ部３３ｂが設けられており、蓋４５がヒンジ部３３ｂに取り付けたヒンジ軸４６にて軸支され、開閉自在に本体上面を覆っている。ヒンジ部３３ｂには、ヒンジバネ４７が蓋４５と炊飯器本体３０双方に係合するように取り付けてあり、蓋４５に対し開放する方向の付勢力を有している。そして、ヒンジ部３３ｂの後部は、ヒンジカバ−５８がその外郭を覆い、外部よりヒンジ軸４６やヒンジバネ４７が見えないようにしている。
【００２５】
コ−ドリ−ル４９は、図２、図３のように配置される。図２、図３は、本発明の第１の実施の形態における炊飯器の下面から見たコ−ドリ−ルの配置図を示すものである。
【００２６】
図２は、本体前面に操作部があるもので、本体前面の上枠３３の下面に、加熱制御基板４０、ヒートシンク４３、ファンモータ４４のそれぞれが配置され、本体後方コ−ナ−部の上枠３３の下面の保護枠３６とボディ３４の間にコードリ−ル４９及びコ−ドリ−ル４９を固定したスペ−サ−５０を配置している。
【００２７】
また、図３は、本体天面に操作部があるもので、本体後方ヒンジ部の上枠３３の下面に、加熱制御基板４０、ヒートシンク４３、ファンモータ４４のそれぞれが配置され、本体後方コ−ナ−部の上枠３３の下面に加熱制御基板４０と垂直になるように保護枠３６とボディ３４の間にコードリ−ル４９及びコ−ドリ−ル４９を固定したスペ−サ−５０を配置している。コードリ−ル４９は、保護枠３６とボディ３４の空間を有効に利用し、保護枠３６もしくは、ボディ３４に沿うように斜めに配置してもよい。
【００２８】
上枠３３の本体後方下面のコ−ナ−部には、図４のコ−ドリ−ル載置部３３ｃが設けられており、コ−ドリ−ル４９を固定したスペ−サ−５０を係合するように取り付けてある。なお、コードリ−ル載置部３３ｃは、図２、図３の保護枠３６に設けられていてもよい。
【００２９】
炊飯容量の異なる炊飯器では、炊飯容量の少ない炊飯器の鍋よりも炊飯容量の多い炊飯器の鍋の方が、鍋径が大きくなり、設置面積も大きくなっていたが、炊飯容量の多い方の鍋径を炊飯容量の少ない方に合わせて同径とし、本体形状を変えることなく、炊飯容量の多い方でも少ない方と同じ設置面積にするために、炊飯容量の多い方の鍋高さを高くしたものである。
【００３０】
以上のように構成された炊飯器について、以下その作用を説明する。
【００３１】
まず、図４のコ−ドリ−ル載置部３３ｃにコ−ドリ−ル４９を設置するのであるが、炊飯容量の大きいものは鍋の高さを高くしたことで、コ−ドリ−ル載置部３３ｃとコ−ドリ−ル４９の間に、空間ができてしまい、従来の設置方法では保持することができない構成となってしまう。
【００３２】
そこで、コ−ドリ−ル載置部３３ｃとコ−ドリ−ル４９の間にスペ−サ−５０を設置する。設置構造を詳しく説明すると、図５のコ−ドリ−ル４９の嵌合穴４９ａにスペ−サ−５０の嵌合凸部５０ｂを係合し、スペ−サ−５０の爪５０ｃの３箇所でコ−ドリ−ル４９を固定させる。前記コードリ−ル４９を係合し、固定させた前記スペ−サ−５０の嵌合穴５０ａを図４のコ−ドリ−ル載置部３３ｃの爪３３ｄに係合させ、図５の前記スペ−サ−
５０の固定リブ５０ｄを図４のコ−ドリ−ル載置部３３ｃのリブ３３ｅに当てて設置することで、がたつきなく設置することができ、従来の設置方法では、空間ができてしまい、保持することが困難であった設置構成が可能となる。
【００３３】
また、図５のコ−ドリ−ル４９の嵌合穴４９ａにスペ−サ−５０の嵌合凸部５０ｂを係合するときに、スペ−サ−５０の凸部５０ｅを押えて、嵌合凸部５０ｂを少し下げることで、コ−ドリ−ル４９の嵌合穴４９ａに係合しやすくなり、スペ−サ−５０の３箇所ある爪５０ｃの両側のスリットにより、バネの作用でコ−ドリ−ル４９を取り付けやすくなり、組立作業性を向上することができる。
【００３４】
コ−ドリ−ル４９は、図２の内鍋加熱手段である底誘導コイル３７を設けた保護枠３６とボディ３４に囲まれて、空間を有効利用するように設置されており、そのためにコ−ドリ−ル４９や周囲の温度が上昇しやすいが、図６のスペ−サ−５０の上部の切り欠きにより、放熱作用で温度の上昇を抑えることができる。
【００３５】
以上のように、本実施の形態においては、鍋高さの高い方の図４のコ−ドリ−ル載置部３３ｃとコ−ドリ−ル４９の間にスペ−サ−５０を設置することにより、鍋径を変えることなく、鍋高さを変えることで炊飯容量が確保でき、炊飯容量が異なるタイプの炊飯器でも、炊飯容量によって、設置面積が変わることなく、従来の炊飯容量の多いタイプと比べると、より設置面積をコンパクトにすることができる。
【００３６】
コ−ドリ−ル４９とスペ−サ−５０のコ−ドリ−ル載置部３３ｃに設置する部分の形状を同形状とすることにより、コ−ドリ−ル載置部３３ｃに直接コ−ドリ−ル４９を取り付ける従来の設置構成でも、図５に示す設置構成でも取り付けることができ、コ−ドリ−ル載置部３３ｃ側の部品を共用化することができる。
【産業上の利用可能性】
【００３７】
以上のように、本発明にかかる炊飯器は、従来の炊飯容量と同じものよりも、設置面積をコンパクトにすることが可能となるので、家庭用又は業務用の炊飯器にも適用できる。
【符号の説明】
【００３８】
３０    炊飯器本体
３２    内鍋
３３    上枠
３３ｃ  コ−ドリ−ル載置部
３３ｄ  コードリ−ル嵌合爪
３３ｅ  コードリ−ル固定リブ
３７    底誘導加熱コイル（加熱手段）
４５    蓋
４９    コードリ−ル
４９ａ  コ−ドリ−ル嵌合穴
５０    スペ−サ−
５０ａ  スペ−サ−嵌合穴
５０ｂ  スペ−サ−嵌合凸部
５０ｃ  スペ−サ−爪
５０ｄ  スペ−サ−固定リブ
５０ｅ  スペ−サ−凸部 
【図１】
0005446767.tif 000002
【図２】
0005446767.tif 000003
【図３】
0005446767.tif 000004
【図４】
0005446767.tif 000005
【図５】
0005446767.tif 000006
【図６】
0005446767.tif 000007
【図７】
0005446767.tif 000008
【図８】
0005446767.tif 000009